(57)【要約】【課題】取付時やメンテナンス時の作業性および清掃性の向上が図れる開口部装置を提供する。【解決手段】建物の開口に設けられる枠体２と、該枠体２内に開閉自在に設けられた障子３ａ，３ｂと、前記枠体２または１４に設けられたロール式網戸６とを備えた開口部装置１であって、前記ロール式網戸６は、網体７を巻取って収納する収納部８と、網体７の先端部を保持し網体７を収納部から引き出し入れして網戸６の開閉を行う可動框９と、該可動框９の両端部を摺動自在に案内する案内部１０，１０とを有すると共に、前記枠体２または１４内の少なくとも片側半分に１つ着脱可能に収まるようにユニット化されている【選択図】　　　　　図７
2004100280.tif 000002
【特許請求の範囲】
【請求項１】
枠体と、該枠体に設けられたロール式網戸とを備えた開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有すると共に、前記枠体内の少なくとも片側半分に１つ着脱可能に収まるようにユニット化されていることを特徴とする開口部装置。
【請求項２】
建物の開口に設けられる枠体と、該枠体内に開閉自在に設けられた障子と、前記枠体に設けられたロール式網戸とを備えた開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有すると共に、前記枠体内の少なくとも片側半分に１つ着脱可能に収まるようにユニット化されていることを特徴とする開口部装置。
【発明の詳細な説明】
【０００１】
【発明の属する技術分野】
本発明は、開口部装置に係り、特にロール式網戸をユニット化して取付時やメンテナンス時の作業性および清掃性の向上を図った開口部装置に関する。
【０００２】
【従来の技術】
開口部装置としては、枠体に例えばロール式網戸や網体をプリーツ状に折り畳んで収納するタイプの網戸などの収納式網戸を備えたものが知られている（例えば、特公昭５２−１５０８９号公報参照）。このような収納式網戸は、工場出荷および取付形態として大きく２つに分類される。先ず１つ目は、建築現場まで部材を運んで建物の開口に部材単位で取付ける方式である。この方式は、運搬性や現場での切断加工性の面で利点があるが、取付精度によって開閉性に支障が出たり、取付時に網体の両側部の抜け止め部をガイド溝に挿入しなければならず、作業性が悪いという問題がある。
【０００３】
２つ目は、建築現場に網戸ユニットを完成品で運んで建物の開口に取付ける方式である。この方式は、網体をプリーツ状に折り畳んで収納するタイプの網戸で多く見られ、前記１つ目の方式ような問題は無い。
【０００４】
【発明が解決しようとする課題】
しかしながら、前述したような収納網戸をユニットの完成品としたものにおいては、最近多く見られるように開口の大きな掃出し窓のようなサッシの場合に、網戸ユニット自体もかなり大きなものとなり、一人で持つことが難しく、取付時やメンテナンス時の作業性が悪く、清掃性も悪いという問題がある。
【０００５】
本発明は、前記事情を考慮してなされたもので、取付時やメンテナンス時の作業性および清掃性の向上が図れる開口部装置を提供することを目的とする。
【０００６】
【課題を解決するための手段】
本発明のうち、請求項１の発明は、枠体と、該枠体に設けられたロール式網戸とを備えた開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有すると共に、前記枠体内の少なくとも片側半分に１つ着脱可能に収まるようにユニット化されていることを特徴とする。
【０００７】
請求項２の発明は、建物の開口に設けられる枠体と、該枠体内に開閉自在に設けられた障子と、前記枠体に設けられたロール式網戸とを備えた開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有すると共に、前記枠体内の少なくとも片側半分に１つ着脱可能に収まるようにユニット化されていることを特徴とする。
【０００８】
【発明の実施の形態】
以下に、本発明の実施の形態を添付図面に基いて詳述する。図１は本発明の実施の形態を示す開口部装置の縦断面図、図２は同開口部装置の横断面図、図３はロール式網戸の使用状態を示す横断面図、図４は網体を概略的に示す図で、（ａ）は正面図、（ｂ）は（ａ）のＡ−Ａ線断面図、（ｃ）は（ａ）のＢ−Ｂ線断面図、図５は可動框の一例を示す斜視図である。図６は網戸ユニットを取外す手順を示す図で、（ａ）は取外し前の網戸ユニットの斜視図、（ｂ）は可動框を中央に移動し、中央カバーを取外した斜視図、図７は網戸ユニットを取外す手順を示す図で、（ａ）は網戸ユニットを右へスライドさせた斜視図、（ｂ）は網戸ユニットを枠体から取外した斜視図である。
【０００９】
図１、図２ないし図３に示すように、開口部装置１は、建物の開口に設けられるサッシのサッシ枠である枠体２と、この枠体２内に開閉自在に設けられた障子３ａ，３ｂと、前記枠体２に設けられるロール式網戸（網戸ユニットともいう）６とを備えている。前記枠体２は、例えばアルミ押出形材からなる上枠２ａ、下枠２ｂ及び左右の縦枠２ｃ，２ｄからなっている。図示例の開口部装置１は引違い窓として構成されており、枠体２内に内外の障子３ａ，３ｂが横方向に引違い状に開閉自在に設けられている。障子３ａ，３ｂは、例えばアルミ押出形材からなる上框４ａ、下框４ｂ及び左右の縦框４ｃ，４ｄからなる框体４内にガラスパネル５を装着してなる。
【００１０】
前記ロール式網戸６は、網体７を巻取って収納する収納部８と、その網体７の先端部を保持し網体７を収納部８から引き出し入れして網戸６の開閉を行う可動框（戸先框ともいう）９と、この可動框９の両端部を摺動自在に案内する案内部１０，１０とを有していると共に、前記枠体２内の少なくとも片側半分に１つ、図示例では両側に２つ着脱可能に収まるようにユニット化されている。このユニット化されたロール式網戸６を網戸ユニットともいう。図示例のサッシでは障子が引違いであるため、枠体２の両側に網戸ユニット６が２つ設けられているが、障子が片引きである場合には枠体２の片側のみに網戸ユニット６が１つ設けられる。
【００１１】
前記収納部８内には網体７を巻取る巻取部である巻取軸１１が回転自在に設けられ、この巻取軸１１が網体７を巻取る方向に付勢手段である図示しないばねにより付勢されている。左側の網戸ユニット６は図３に示すように開状態にある外障子３ｂの戸先框４ｄの室内面に取付けた戸先補助框１２との間を網体７で覆うようになっており、右側の網戸ユニット６は開状態の内障子３ａの戸先框４ｄとの間を網体７で覆うようになっている。左側のロール式網戸６の可動框９には外障子３ｂの戸先補助框１２との間を塞いで虫の侵入を防止するヒレ状の第１の虫除け部材１３ａ及び上枠２ａ、下枠２ｂとの間を塞いで虫の侵入を防止するヒレ状の第２の虫除け部材１３ｂが設けられている。右側のロール式網戸６の可動框９には内障子３ａの戸先框４ｄとの間を塞いで虫の侵入を防止するヒレ状の第１の虫除け部材１３ａ及び上枠２ａ、下枠２ｂとの間を塞いで虫の侵入を防止するヒレ状の第２の虫除け部材１３ｂが設けられている。なお、虫除け部材１３ａ，１３ｂはモヘアからなっていても良い。
【００１２】
サッシの枠体２に網戸ユニット６を設ける場合、前記枠体２の室内側に網戸用の枠体１４が一体または図示例のように別体で設けられる。この場合、枠体２の室内面に網戸用の枠体１４が固着具であるネジ１５で着脱自在に取付けられている。この網戸用の枠体１４は、例えばアルミ押出形材からなる上枠材１４ａ、下枠材１４ｂ及び左右の縦枠材１４ｃ，１４ｄからなり、上枠材１４ａと下枠材１４ｂは上枠２ａと下枠２ｂの室内面に取付けられ、左右の縦枠材１４ｃ，１４ｄは左右の縦枠２ｃ，２ｄの室内面に取付けられている。
【００１３】
前記網戸用の枠体１４内の左右（両側）に前記網戸ユニット６が計２つ室内側から着脱自在に取付けられている。なお、左右の網戸ユニット６は対称であるため、左側の網戸ユニット６についてのみ説明を加える。網戸ユニット６を構成する一側の収納部８と上下の案内部１０，１０はそれぞれ形材例えばアルミ押出形材により形成されており、図７の（ｂ）にも示すように一方（右方）が開放された三方枠として組立てられている。すなわち、収納部８が一側の縦枠部を、上下の案内部１０，１０が上枠部および下枠部をそれぞれ構成している。上下の案内部（上枠部および下枠部）１０，１０の対向面にはガイド溝１６，１６が設けられており、可動框９の上下端部には、図１ないし図５に示すように、ガイド溝１６，１６に沿って摺動するガイド片部１７，１７が設けられている。
【００１４】
前記下枠材１４ｂの上面部には網戸ユニット６の下部の案内部（下枠部）１０を収容する収容溝部４１が長手方向に沿って設けられており、この下枠材１４ｂの収容溝部４１内に網戸ユニット６の下部案内部１０を挿入することにより上部案内部１０が上枠材１４ａの下部に収まり、網戸ユニット６が枠体１４内に建て込まれるようになっている。また、前記縦枠材１４ｃの内側部には網戸ユニット６の収納部（縦枠部）８の一部を収容する収納溝部４２が設けられており、枠体１４内に建て込んだ網戸ユニット６を縦枠材１４ｃ側（図の左方）にスライドさせることにより網戸ユニット６の収納部８の一部を縦枠材１４ｃの収容溝部４２内に挿入されるようになっている。
【００１５】
このように収納部８の一部が縦枠材１４ｃの収容溝部４２内に挿入することにより、網戸６の見付けが小さくなり、意匠性およびサッシの障子３ａの開閉操作性の向上が図れる。網戸ユニット６の上下の案内部１０，１０の長さは枠体１４の左右方向の開口幅の略１／２になっている。網戸ユニット６の上下の案内部１０，１０の自由端側先端部には、図７の（ｂ）に示すように可動框９の離脱を防止するための端板４３，４３がそれぞれ取付けられており、各端板４３には上部案内部１０の先端部を上枠材１４ａに、下部案内部１０の先端部を下枠材１４ｂにそれぞれネジ止めにより取付固定するための取付片部４４，４５が設けられている。また、網戸ユニット６の収納部８側を縦枠材１４ｃの収容溝部４２内にスライド挿入する構造になっている関係で、枠体１４の上枠材１４ａ及び下枠材１４ｂの長手方向中央部には左右の網戸ユニット６，６の上部案内部１０，１０間および下部案内部１０，１０間にそれぞれ隙間４６，４７が発生するため、これらの隙間４６，４７を覆うためのカバー４８，４９がネジ止めにより着脱可能に取付けられている。なお、上部のカバー４８，４９は断面Ｌ字状に形成されている。下枠材１４ｂには取付片部およびカバーをネジ止めするための取付基板が取付けられいることが好ましい。
【００１６】
前記虫除け部材１３ａ，１３ｂの突出長さを短くするために、前記ガイド溝１６はサッシ枠である枠体２側に近付けて配置されていることが好ましい。また、可動框９の上下両端部には、第２の虫除け部材１３ｂが枠体２例えば上枠２ａ，下枠２ｂに接触しないように規制するためにガイド溝１６の溝縁部１６ａに沿って摺動自在に係合した環状溝部を有する規制部材１８が配置されていることが好ましい。後述の回転軸２５の両端部に規制部材が１８が連結され、この規制部材１８の先端部に歯車が２２が設けられている。前記収納部８には網体７を引き出すための引出口部１９が設けられているが、この引出口部１９はガイド溝１６の位置に位置されていることが好ましい。また、収納部８に隣接して可動框９の一部を収容する収容部２０が設けられていることが好ましい。
【００１７】
前記収納部８から網体７を引き出しながら移動操作される可動框９を障子３ａ，３ｂの戸先框４ｄと対応する任意の位置に固定する手段として、図示例では歯車式の停止機構２１が設けられている。この停止機構２１は、可動框９の上下端部に回動自在に設けられた歯車２２と、上枠材１４ａ及び下枠材１４ｂに前記歯車２２が噛合するように長手方向に沿って設けられたラック２３とを有している。
【００１８】
前記上下の歯車２２，２２は前記規制部材１８の端部に配置され、上下の歯車２２，２２は可動框９内に設けられた例えば断面Ｃ字状の軸受２４に回転自在に支持された回転軸２５の上端部と下端部に取付固定されている。可動框９には手掛け部２６が設けられ、この手掛け部２６には回転軸２５を回転しないようにロックしたりロックを解除するための図示しないロック機構及びその操作部２７が設けられている。なお、可動框９を任意の位置に固定する手段としては、歯車式に限定されず、例えば摩擦部材を上枠材及び下枠材に押し付けて制動固定する摩擦式等であっても良い。
【００１９】
前記網体７の先端部を可動框９に固定する手段として、図４の（ａ）ないし（ｂ）に示すように網体７の先端部には袋部２８が形成され、この袋部２８に芯材（抜け止め材ともいう）２９が挿入されてこれが前記可動框９に固定されている。具体的には、網体７の先端部は、補強のために折り返されて縫製糸３０ａにより図の上下方向に連通した袋状に縫製されており、この袋部２８を利用して芯材２９が挿入されている。芯材２９は、例えばアルミパイプからなっているが、ある程度の剛性を有する棒状であれば材質は問わない。また、前記網体７の両側縁部（図では上下縁部）は、ガイド溝１６から抜けるのを防止するために図４の（ａ）ないし（ｃ）に示すように折り返されて縫製糸３０ｂにより長手方向（図では左右方向）に連通した袋状に縫製され、袋部３１，３１が形成されている。図１ないし図５に示すように上枠材１４ａ及び下枠材１４ｂのガイド溝１６内には抜け止めガイド棒４０がガイド溝１６内の略中央部から両縦枠材１４ｃ，１４ｄ近傍に向って片持ち梁状に設けられ、収納部８から網体７を引き出してロール式網戸６を閉める時に網体７の両側部の袋部３１，３１に抜け止めガイド棒４０，４０に挿通されるようになっている。
【００２０】
前記網体７には先端部に袋部２８が形成された後、両側縁部に抜け止め用の袋部３１，３１が形成されている。なお、前記芯材２９は、網体７の先端部に袋部２８を形成してから該袋部２８に挿入することが好ましいが、網体７の両側縁部に袋部３１，３１を形成してから先端の袋部２８にその一部を破って芯材２９を挿入するようにしても良く、挿入時期や挿入方法を問わない。前記可動框９内には例えば断面Ｃ字状の固定部（第１の固定部）３２が設けられ、この固定部３２には前記網体７の先端部の袋部２８に挿入した芯材２９が嵌合固定されている。
【００２１】
また、網体７の先端部が上下方向に弛んで網体７の先端側に部分的に皺が寄るのを防止するために、網体７の先端側両端部（図示例では上下両端部）が前記可動框９の両端部（同、上下両端部）に固定されていることが好ましい。すなわち、可動框９の両端部には網体７の先端側両端部を固定する固定部（第２の固定部）３３が設けられている。この固定部３３は一対の挟持片３４ａ，３４ｂを有している。挟持片３４ａ，３４ｂの対向面には網体７の滑り止めのために互いに係合する凹凸部３５が形成されていることが好ましい。
【００２２】
前記可動框９の一側部（後部側）は網体７の先端部を引き入れて固定部（第１の固定部）３２に固定するために断面略Ｕ字状に開口形成されており、両挟持片３４ａ，３４ｂの一部がその可動框９内に端部から挿入されるようになっている。この場合、一方の挟持片３４ａが可動框９の端部に予め固定されており、この一方の挟持片３４ａに対して他方の挟持片３４ｂをネジ３６で固定するようになっていることが好ましい。また、網体７はその上下両端部を固定する場合、ピンと張った状態で固定することが好ましい。
【００２３】
以上の構成からなる開口部装置１において、網戸ユニット６の清掃やメンテナンスを行うために網戸ユニット６を枠体１４から取外す場合には、先ず、図６の（ａ）に示すように開位置にある網戸ユニット６の可動框９を図６の（ｂ）に示すように案内部１０，１０の先端部まで移動させて可動框９を停止機構２１により停止固定し、網戸６を閉めた状態にする。これにより、網戸ユニット６が一側の収納部８と上下の案内部１０，１０からなる三方枠状から、その開放端側に移動させて固定した可動框９によって四方枠状になるため、強度が増大し、網戸ユニット６の取付け取外し時の取扱いや持ち運びが容易になる。
【００２４】
次に、上枠材１４ａおよび下枠材１４ｂからカバー４８，４９を取外し、網戸ユニット６の上下の案内部１０，１０の先端部を上枠材１４ａおよび下枠材１４ｂに固定している図示しないネジを取外す。次に、図７の（ａ）に示すように網戸ユニット６を矢印方向にスライドさせて網戸ユニット６の収納部８を縦枠材１４ｃの収容溝部４２内から離脱させ、更に図７の（ｂ）に示すように網戸ユニット６を室内側へ倒しながら下部案内部１０を下枠材１４ｂの収容溝部４１から離脱させるべく持ち上げることにより網戸ユニット６を枠体１４から取外す。このようにして網戸ユニット６を枠体１４から簡単且つ容易に取外すことができる。そして、網戸ユニット６は枠体１４の開口幅の略半分の大きさであるため、一人で持つことができ、網戸ユニット６の脱着、運搬、清掃等を容易に行うことができる。
【００２５】
このように開口部装置１によれば、建物の開口に設けられる枠体２と、該枠体２内に開閉自在に設けられた障子３ａ，３ｂと、前記枠体２に設けられたロール式網戸６とを備えた開口部装置１であって、前記ロール式網戸６は、網体７を巻取って収納する収納部８と、網体７の先端部を保持し網体７を収納部から引き出し入れして網戸６の開閉を行う可動框９と、該可動框９の両端部を摺動自在に案内する案内部１０，１０とを有すると共に、前記枠体２内図示例では枠体２とは別体の枠体１４内の少なくとも片側半分に１つ着脱可能に収まるようにユニット化されているため、網戸ユニット６がコンパクトになって１人で持てるようになり、取付時やメンテナンス時の作業性および清掃性の向上を図れる。
【００２６】
以上、本発明の実施の形態を図面により詳述してきたが、本発明は前記実施の形態ないし実施例に限定されるものではなく、本発明の要旨を逸脱しない範囲での種々の設計変更等が可能である。例えば、本発明は、引違い窓だけでなく、片引き窓、縦辷り窓、障子が上下方向に開閉自在に設けられた上げ下げ窓等にも適用することが可能である。また、ロール式網戸は横引きタイプだけでなく、縦引きタイプであっても良い。更に、前記実施の形態では網戸ユニットを２つ用いて引違い窓に対応するようにした例が示されているが、網戸ユニットを１つだけ用いて片引き窓や片引戸に対応するようにしても良い。開口部装置としては、サッシを含まずに、枠体１４と網戸ユニット６のみからなっていても良い（請求項１）。
【００２７】
【発明の効果】
以上要するに本発明によれば、次のような効果を奏することができる。
【００２８】
（１）請求項１の発明によれば、枠体と、該枠体に設けられたロール式網戸とを備えた開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有すると共に、前記枠体内の少なくとも片側半分に１つ着脱可能に収まるようにユニット化されているため、網戸ユニットがコンパクトになって１人で持てるようになり、取付時やメンテナンス時の作業性および清掃性の向上を図れる。
【００２９】
（２）請求項２の発明によれば、建物の開口に設けられる枠体と、該枠体内に開閉自在に設けられた障子と、前記枠体に設けられたロール式網戸とを備えた開口部装置であって、前記ロール式網戸は、網体を巻取って収納する収納部と、網体の先端部を保持し網体を収納部から引き出し入れして網戸の開閉を行う可動框と、該可動框の両端部を摺動自在に案内する案内部とを有すると共に、前記枠体内の少なくとも片側半分に１つ着脱可能に収まるようにユニット化されているため、網戸ユニットがコンパクトになって１人で持てるようになり、取付時やメンテナンス時の作業性および清掃性の向上を図れる。
【図面の簡単な説明】
【図１】本発明の実施の形態を示す開口部装置の縦断面図である。
【図２】同開口部装置の横断面図である。
【図３】ロール式網戸の使用状態を示す横断面図である。
【図４】網体を概略的に示す図で、（ａ）は正面図、（ｂ）は（ａ）のＡ−Ａ線断面図、（ｃ）は（ａ）のＢ−Ｂ線断面図である。
【図５】可動框の一例を示す斜視図である。
【図６】網戸ユニットを取外す手順を示す図で、（ａ）は取外し前の網戸ユニットの斜視図、（ｂ）は可動框を中央に移動し、中央カバーを取外した斜視図である。
【図７】網戸ユニットを取外す手順を示す図で、（ａ）は網戸ユニットを右へスライドさせた斜視図、（ｂ）は網戸ユニットを枠体から取外した斜視図である。
【符号の説明】
１　開口部装置
２，１４　枠体
３ａ，３ｂ　障子
６　網戸ユニット（ロール式網戸）
７　網体
８　収納部
９　可動框
１０　案内部
【図１】
2004100280.tif 000003
【図２】
2004100280.tif 000004
【図３】
2004100280.tif 000005
【図４】
2004100280.tif 000006
【図５】
2004100280.tif 000007
【図６】
2004100280.tif 000008
【図７】
2004100280.tif 000009